(57)【要約】【課題】ハードウェアの改造を必要とすることなく手軽に印刷時の臭気を防止すると共に所望の香りを楽しむことが出来る印刷用紙パック、印刷用紙、印刷用紙の製造方法を提供する。【解決手段】ノーカーボン用紙又はＰＰＣ用紙又はインクジェット用紙を含む所定枚数の印刷用紙と、所定の香料を塗布した台紙とを、気密性の容器に封入してなり、前記所定の香料を塗布した台紙の香りを前記印刷用紙に移すことにより、前記印刷用紙の印刷時において前記印刷用紙に移った所定の香料の香りを発散させることができる。【選択図】図７
2010202283.tif 000002
【特許請求の範囲】
【請求項１】
所定枚数の印刷用紙を収納した印刷用紙パックであって、
印刷用紙と、
所定の香料を一方の面に塗布した台紙とを有し、
前記台紙に塗布した香料が前記印刷用紙へ直接浸透することを防ぎつつ、前記台紙の香料の香りが前記印刷用紙に移ることにより、前記印刷用紙の印刷時において前記印刷用紙に移った所定の香料の香りを発散させるべく、前記印刷用紙の面と前記台紙の香料が塗布されていない面とが接する状態で気密性の容器に封入されていることを特徴とする香り付き印刷用紙パック。
【請求項２】
前記台紙を２枚有し、それぞれが前記印刷用紙の両面に接することを特徴とする請求項１に記載の香り付き印刷用紙パック。
【請求項３】
コーティングが施された用紙を更に有し、
前記台紙の香料を塗布した面には、コーディングが施された用紙と接する状態で封入されていることを特徴とする請求項１または２に記載の香り付き印刷用紙パック。
【請求項４】
前記コーティングが施された用紙を２枚有し、それぞれが前記台紙の香料を塗布した面に接することを特徴とする請求項２または３に記載の香り付き印刷用紙パック。
【請求項５】
前記台紙の所定位置に所定の面積割合で、前記所定の香料が塗布されていることを特徴とする請求項１乃至４のいずれか１項に記載の香り付き印刷用紙パック。
【請求項６】
前記所定位置は前記台紙の周辺部、又は前記台紙の周辺部及び中央部、又は前記台紙の全面であることを特徴とする請求項５に記載の香り付き印刷用紙パック。
【請求項７】
前記所定の香料を塗布した台紙は所定の切れ目を備え、前記印刷用紙の使用後に該所定の切れ目台紙を用いて前記所定の香料を塗布した台紙を組み立てることにより、前記所定の香料を塗布した台紙を室内用芳香剤を兼ねる所定の用途に利用可能であることを特徴とする請求項１乃至６のいずれか１に記載の香り付き印刷用紙パック。
【発明の詳細な説明】
【技術分野】
【０００１】
本発明は香り付きの印刷用紙パックに関し、特に香り付きのノーカーボン（ノンカーボン）用紙又はＰＰＣ用紙又はインクジェット用紙を封入した印刷用紙パックに関する。
【背景技術】
【０００２】
特許文献１には用紙を収納する給紙部１９を備え、給紙部１９から給紙された用紙に画像を形成する画像形成装置１において、給紙部１９は、香料を含有した有香用紙Ｐを密閉した保管トレイ２７を備え、必要に応じて保管トレイ２７から有香用紙Ｐを給紙しており、給紙された有香用紙Ｐは、装置本体２内の熱により香りを放出する旨が開示されている。
【０００３】
又、特許文献２にはファクシミリ用紙１１は、台紙１の第１面に感熱層を形成して感熱層Ａとすると共に、台紙１の第２面すなわち裏面Ｂに芳香部３を形成する旨が開示されている。
【０００４】
又、特許文献３には記録装置の搬送ローラ内部に芳香性を有する液体を浸透させた芳香部材を格納させ、ピンチローラとの挟持搬送動作により、用紙の裏面に前記液体と香りを転写する旨が開示されている。
【０００５】
又、特許文献４にはインクジェットプリンタのインクカートリッジを香料が充填されたアロマカートリッジと置き換えることで、画像にかえて香料を噴射し用紙に印刷する旨が開示されている。
【０００６】
又、特許文献５には印刷用紙２０に加熱乾燥型の印刷インキを印刷した後、印刷部１２の下流側に設置された加熱乾燥部１３にて印刷インキ及び印刷用紙２０を加熱乾燥し、しかる後に、加熱乾燥部１３の下流側に配置された加湿部１５にて、香料を添加した加湿用水を使用して印刷用紙２０の加湿を行う旨が開示されている。
【先行技術文献】
【特許文献】
【０００７】
【特許文献１】特開２００１−１７１８４８号公報
【特許文献２】特開２００３−１３６８４３号公報
【特許文献３】特開２００４−１６０７９５号公報
【特許文献４】特開２００５−２５４６３１号公報
【特許文献５】特開２００６−２２４４２８号公報
【発明の概要】
【発明が解決しようとする課題】
【０００８】
しかし、特許文献１記載の従来技術では、密閉型の特殊な用紙トレイを必要とするという問題がある。
【０００９】
又特許文献２記載の従来技術では、芳香部３がある部分とない部分では熱伝導が異なるため、感熱面の発色に色むらが生じるという問題と、芳香部に香料を塗布する工程が必要となり製造コストが上昇するという問題がある。
【００１０】
又特許文献３記載の従来技術では、芳香性を有する液体を浸透させた芳香部材を格納させた搬送ローラの位置によっては、芳香性を有する液体による印字のにじみが生じるという問題がある。
【００１１】
又特許文献４記載の従来技術では、専用のアロマカートリッジとアロマプリンタが必要になるのでコストが上昇するという問題がある。
【００１２】
又特許文献５記載の従来技術では、専用の加湿部が必要になりコストが上昇するという問題がある。
【００１３】
本発明は上記問題点を解決するために、ハードウェアの改造を必要とすることなく手軽に印刷時の臭気を防止すると共に所望の香りを楽しむことが出来る印刷用紙パックを提供することを目的とする。
【課題を解決するための手段】
【００１４】
上記課題を解決するために、所定枚数の印刷用紙を収納した印刷用紙パックであって、印刷用紙と、所定の香料を一方の面に塗布した台紙とを有し、前記台紙に塗布した香料が前記印刷用紙へ直接浸透することを防ぎつつ、前記台紙の香料の香りが前記印刷用紙に移ることにより、前記印刷用紙の印刷時において前記印刷用紙に移った所定の香料の香りを発散させるべく、前記印刷用紙の面と前記台紙の香料が塗布されていない面とが接する状態で気密性の容器に封入されていることを特徴とする。
【発明の効果】
【００１５】
本発明によれば、所定の香料を塗布した台紙から印刷用紙に香りが移るので印刷品位を損なうことなく、又印刷装置側に何らの改造も必要とすることなく、所望の香りの印刷用紙を用いて低コストに印刷することが可能となる。更に、香りによるセラピー効果やストレス解消効果も期待できる。
【００１６】
つまり、本発明によれば香りの化学的、生理的、心理的な効果を利用して、印刷装置から出力される用紙にあらかじめ香りをつけておくことで、電子写真やインクジェットプリンタなどの印刷装置から出力される際の、紙の搬送過程における、印刷装置の定着熱やファンによる拡散、あるいは紙そのものの搬送の際の動きを利用することによってほのかな香りを演出する用紙を提供することができる。
【図面の簡単な説明】
【００１７】
【図１】本発明の印刷用紙パックの台紙と印刷用紙を示す模式図である。
【図２】本発明のフィルム包装材を用いた容器（封筒型）を示す模式図である。
【図３】本発明のほのかな香りを印刷用紙に移すための香りつき台紙を示す模式図である。
【図４】本発明の確かな香りを印刷用紙に移すための香りつき台紙を示す模式図である。
【図５】本発明のしっかりした、確かな香りを印刷用紙に移すための香りつき台紙を示す模式図である。
【図６】本発明の香りつき台紙を示す模式図である。
【図７】本発明の容器へ封入する用紙の順序を示す模式図である。
【発明を実施するための形態】
【００１８】
以下本発明の概要を述べた後、実施形態を説明する。本発明では、出力する用紙そのものに香りを転移させ、紙そのものが香る点に工夫がある。
【００１９】
オフィスや家庭の印刷装置である、各種プリンタでは、単なるドキュメントの出力だけではなく、プレゼンテーション資料やレター、写真、グリーティングカード、日記、ハガキ、ラベルなどを、個人が楽しんだり、周りの人に出力物を見せたり、渡したり、回覧したり、送ったりと、季節ごと、場面ごとに使い方は、大変多岐に渡ってきた。
【００２０】
本発明によれば、このような場面で、自分自身の新たな楽しさ、おもしろさや、受け手への演出のため、香りの化学的・生理的・心理的効果を利用して、「初恋の香り」とか「旅の香り」とか「思い出の香り」とか「夏の香り（季節の香り）」とかを、用紙に香りをつけることで『出力物と香り（におい）の記憶』の相乗効果を演出することができる。
【００２１】
香りの嗜好はさまざまであるが、オフィスでは「快適さ」や「やる気」や「精神安定」とかをキーワードに、香りを含んだ用紙の種類を用意し、家庭では「気持ち良さ」や「癒し」などの用紙の種類を用意したり、業界では、業界のアピールしたい香りや、地域では、都道府県といった地域の名産の香りを演出したり、場面によっては、御香の香りがあったりと場面はさまざまであることから、様々な香料が用いられる。
【００２２】
このため「香りペーパー」は用紙をつくる際の製紙工程や、印刷工程や、裁断工程などで香りを用紙に付着させることは製造コスト面で得策ではない。
【００２３】
そこで本発明では、できた用紙に、別の香料を含んだ用紙を密着させて、香りを移す。例えば香料を含んだ厚手の台紙で挟んだり、香料を含んだ薄手の包装用紙で包み、更に気密性の封筒型の容器に密封することによって、香料を含んだ用紙の香料を画像形成装置から出力させる用紙に転移させることで、簡便に「香りペーパー」（香りのついた印刷用紙）を作ることができる。
【００２４】
このように構成することで、容器から出した香りが転移した「香りペーパー」は、外気に触れ、香りが弱くなったり、香りを喪失したとしても、もとの容器に戻し、再度香料を含んだ台紙に同封し、密閉することで再度香りのあるペーパーに復元することが可能となる。
【００２５】
また、香りの強さは、香料を含んだ用紙の香料の塗布面積で調整することができる（後の図３乃至図５の説明で詳述する）。
【００２６】
さらに、香りを含んだ用紙を厚紙仕様の台紙にしておくことで、これに型をあらかじめデザインしておき、このデザインにそって切り抜き、加工することで、香りつきの台紙を他の用途で利用することがきる（後の図６の説明で詳述する）。
【００２７】
さらに、香料を含んだ用紙（もしくは台紙）の香料の塗布面を、挟み込む用紙と密着させて封筒型の容器に密封すると、香料が用紙に浸透するため、塗布面とは逆の面を用紙に密着させて封筒型の容器に密封する（後の図７の説明で詳述する）ことで香りを長く楽しむことができる。さらに、塗布面を香料が浸透しづらい材質の表紙・背表紙で挟み込むことで、自由なデザインを可能とする。
【００２８】
本発明で用いる香料は、例えば植物性由来の「レモン」、「ローズ」、「ラベンダー」、「キンモクセイ」、「ひのき（森林）」といった植物性香料、あるいはこれらの植物性香料の主成分だけを分離させた単離香料、又は「シベット」、「ムスク」等の動物性由来の香料、又は「アンバーコア」、「フルテート」、「シクロヘキシルサリシレート」等の各種の合成香料、更に各種香料を組合せた化粧用の香料である「香水」も選択肢として加えることができる。
【００２９】
これは、香りを世の中に広めたい化粧品会社や、家庭日用品会社とタイアップすることで、広く世の中に香りを訴求・宣伝する効果を、この『香りペーパー』で実行することができるからである。
【００３０】
これらの香料を使用した数多くの種類の香りつき印刷用紙を提供することで、印刷時及びその後でＴＰＯに合った様々な香りを楽しむことが出来る。
【００３１】
以上で本発明の概要の説明を終わる。
【００３２】
以下本発明の実施の形態を図を参照しつつ説明する。
【００３３】
図１は本発明の香りつき用紙１１と印刷用紙束１０と香りつき台紙１２により、香りつき台紙１１及び１２の香りが印刷用紙束１０に移ることを示す模式図である。
【００３４】
香りつき用紙１１は印刷用紙束１０の表側に重ね、香りつき用紙１２は印刷用紙束１０の裏側に重ね、三者をサンドイッチ状にすることで、香りつき台紙１１及び１２の香りが印刷用紙束１０に移る。
【００３５】
図２は本発明のフィルム包装材を用いた気密性の封筒型の容器２０を示す模式図である。
【００３６】
容器２０の本体には気密性の高いフィルム包装材を用いる。この容器２０は開封口の蓋部分に糊止２１と糊止２２とを合計２本備える。糊止は３本以上でも良い。
【００３７】
このように構成することで、香りが外に漏れにくくなると共に、一つの糊止が、何度も開封することで壊れて粘着できなくなっても、他の糊止が香りの漏れを防止する機能を果たす。
【００３８】
この開封口の糊止の糊は、何度も再度接着できるタイプの糊を用いる。
【００３９】
このように印刷用紙束１０の両側を香りつき台紙１１と香りつき台紙１２とでサンドイッチ状に挟み、香りつき台紙１１と印刷用紙束１０と香りつき台紙１２とを容器２０に入れ密閉することで、香り付き印刷用紙パックを構成する。
【００４０】
次に図３乃至図５は香りつき台紙１１及び香りつき台紙１２の異なる箇所に香料を塗布することで印刷用紙束１０に移る香りの強さを調節する旨を説明するための模式図である。
【００４１】
図３は印刷用紙にほのかな香りを移すための香り付き台紙３０の周辺部３１に所定の香料を染み込ませたことを示す模式図である。
【００４２】
このように周辺部だけに所定の香料を塗布又は浸み込ませることで少ない香料で効果的に香りを印刷用紙束１０の各印刷用紙に移すことができる。
【００４３】
図４は印刷用紙に確かな香り（ほのかな香りよりも強い香り）を移すための香り付き台紙４０の周辺部４１と中央部４２に所定の香料を浸み込ませたことを示す模式図である。
【００４４】
周辺部４１と中央部４２用紙を合わせて、印刷用紙の半分程度の面積に香りを塗布、浸み込ませる。
【００４５】
このように周辺部４１と中央部４２とに所定の香料を塗布又は浸み込ませることでより強い香りを印刷用紙束１０の各印刷用紙に移すことができる。
【００４６】
ここで周辺部４１の香料塗布部又は香料含浸分の幅は図３の周辺部３１の幅よりも２倍乃至３倍程度大きくなっている。
【００４７】
次に図５は印刷用紙にしっかりした、確かな香り（確かな香りよりも更に強い香り）を移すための香り付き台紙５０の前面に所定の香料を浸み込ませたことを示す模式図である。
【００４８】
このように台紙の全面に所定の香料を塗布又は浸み込ませることでより強い香りを印刷用紙束１０の各印刷用紙に移すことができる。
【００４９】
又一旦容器２０から印刷用紙を取り出して印刷装置にセットし、印刷用紙の香りがしなくなった場合でも、この印刷用紙を再び容器２０の中に密封することで、印刷用紙から再び香りがするようにリフレッシュすることができる。
【００５０】
図６は本発明の香りつき台紙の他の実施例を示す模式図である。
【００５１】
図６に示すように、あらかじめ香料の塗布された台紙に各種のカード等のイラスト等の各種デザインを施し、所望のイラスト等をはさみやカッターで切り取るか、又は抜き型で一部を残して容易に取り出すことができるようにすることで香りつきの台紙の楽しみが増す。
【００５２】
あるいは実開平０３−０６７１６３号公報や実開平０７−０３０８２２号公報に開示されているような写真立てを作れるように台紙に抜き型で一部を残して容易に取り出すことができるようにする。
【００５３】
台紙をこのように構成することで、印刷用紙を使いきった後においても、室内用の芳香剤を兼ねる「香りつき写真立て」や、「香りつきカレンダー立て」、「香りつきしおり」などとして、利用することがきる。
【００５４】
最後に図７は本発明の容器へ封入する用紙の順序を示す模式図である。
【００５５】
これまで、印刷用紙と香料を含む台紙とが接する面について詳しく言及していなかったので次に述べる。
【００５６】
印刷用紙を挟み込む台紙を表紙若しくは背表紙としても使う場合、香料を含ませる面は、デザインが施された面と逆にする必要がある。これは、デザイン面に香料を含ませるとインクが滲んだり、コーティング仕上げにより香料を含ませることができなかったりするためである。
【００５７】
しかしながら、一般的な印刷用紙の材質は香料を浸透し易いため、香りをしみこませた面を印刷用紙と接するようにすると、香料を浸透した印刷用紙が抜き取られる毎に、次に接する印刷用紙に香料が次々浸透し、台紙に含ませている香料が早くなくなるという問題がある。
【００５８】
そこで、図７に示すように、香りをしみこませた面とは逆の面を印刷用紙と接するようにすることで、香料が印刷用紙に浸透して早くなくなることを防止することができる。
【００５９】
さらに、香りをしみこませた面には、香料が浸透しづらい材質の用紙（表面にコーティングが施されている用紙、光沢紙など）を接するようにする。そして、この接する面とは逆の面にデザインを施すことで、表紙若しくは背表紙として使うことができる。
【００６０】
つまり、図７に示す状態で容器へ封入することで、台紙に含ませている香料を長持ちさせることができるため長く香りを楽しむことが可能となる。また、表紙若しくは背表紙に様々なデザインを施すことができるため、デザインと香りを連動させることにより（例えば、森林のデザインと木の香り）、効果的に香りを伝えることが可能となる。
【００６１】
［他の実施例］
実施例２：印刷用紙束１０よりも大きな不図示の香りつき台紙を内箱として印刷用紙束１０を収納し、香りつき台紙の香りを印刷用紙束１０に転移させることで、印刷用紙束１０の各印刷用紙を「香りペーパー」にする。
実施例３：香りつき台紙を薄手にして印刷用紙束１０を包装することで香りつき台紙の香りを印刷用紙束１０に転移させることで、印刷用紙束１０の各印刷用紙を「香りペーパー」にする。
実施例４：印刷用紙束１０の中に薄手の印刷用紙と異なる色の香りつき用紙を所定枚数毎に挿入する。
【００６２】
例えば２００枚の印刷用紙束１０に２０枚毎に１枚、合計９枚の香りつき用紙を挿入しておく（総合計で２０９枚になる）。このように構成することで印刷用紙束１０から所望の枚数を印刷装置にセットしたい場合に用紙枚数のカウントが楽になる。
【００６３】
香りつき用紙は容器から取り出した後印刷装置にセットする前に抜き取ることは言うまでも無い。
【００６４】
以上説明したように、本実施の形態によれば、所定の香料を塗布した台紙から印刷用紙に香りが移るので印刷品位を損なうことなく、又印刷装置側に何らの改造も必要とすることなく、所望の香りの印刷用紙を用いて低コストに印刷することが可能となる。
【００６５】
特にノーカーボン紙を大量に印刷した場合の臭気やＰＰＣ用紙を印刷した場合のオゾン臭をこの香りで抑制し、更にインクジェット用紙をインクジェットプリンタで印刷した場合を含めて、香りによるセラピー効果やストレス解消効果も期待できる。
【００６６】
つまり、本発明によれば香りの化学的、生理的、心理的な効果を利用して、印刷装置から出力される用紙にあらかじめ香りをつけておくことで、電子写真やインクジェットプリンタなどの印刷装置から出力される際の、紙の搬送過程における、印刷装置の定着熱やファンによる拡散、あるいは紙そのものの搬送の際の動きを利用することによってほのかな香りを演出する用紙を提供することができる。
【符号の説明】
【００６７】
１０  印刷用紙
１１  香り付き台紙
１２  香り付き台紙
２０  容器（フィルム包装材）
２１  糊止め
２２  糊止め
３０  香り付き台紙（香料を周辺部に塗布）
３１  香料の塗布部分（周囲）
４０  香り付き台紙（香料を周辺部と中央部に塗布）
４１  香料の塗布部分（周辺部）
４２  香料の塗布部分（中央部）
５０  香り付き台紙（香料を全面に塗布）
【図１】
2010202283.tif 000003
【図２】
2010202283.tif 000004
【図３】
2010202283.tif 000005
【図４】
2010202283.tif 000006
【図５】
2010202283.tif 000007
【図６】
2010202283.tif 000008
【図７】
2010202283.tif 000009